【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
所定の大きさの表示画面を備える表示素子と、
前記表示画面よりも小さい検出領域を有し、指示体による指示位置座標を検出する第１のセンサと、
を備え、
前記第１のセンサは、前記指示体による指示位置の検出領域が前記表示画面内の所定の表示範囲と対応するように配置される
ことを特徴とする入力装置。
【請求項２】
前記第１のセンサが前記検出領域で前記指示体を検出するために、前記表示画面上に前記検出領域に対応した範囲が表示される
ことを特徴とする請求項１に記載の入力装置。
【請求項３】
前記表示素子は、前記表示画面の周囲を固定用フレームで囲むように構成されており、
前記第１のセンサは、前記指示体の位置を電磁誘導により検出するものであり、
前記第１のセンサは、前記表示素子の裏面側であって、前記検出領域が前記固定用フレームと重ならない領域となるように設けられる
ことを特徴とする請求項１に記載の入力装置。
【請求項４】
前記第１のセンサは、前記表示素子の裏面側に直接に貼り付けられる
ことを特徴とする請求項３に記載の入力装置。
【請求項５】
前記第１のセンサは、前記表示素子の裏面側に、所定の部材を介して間接的に貼り付けられる
ことを特徴とする請求項３に記載の入力装置。
【請求項６】
前記所定の部材は、前記表示素子の裏面側において、前記固定用フレームの互いに対向する端縁間を橋渡しする絶縁体からなる
ことを特徴とする請求項５に記載の入力装置。
【請求項７】
前記表示画面の全表示範囲内における指示体による指示位置を検出する第２のセンサを表示面側に備える請求項３に記載の入力装置。
【請求項８】
前記第２のセンサと前記第１のセンサとで重なる前記指示体の指示位置の検出範囲に前記指示体による指示入力があったときには、前記第１のセンサによる前記指示体の指示位置の検出を優先する
ことを特徴とする請求項７に記載の入力装置。
【請求項９】
前記第１のセンサは、複数個であって、前記指示体の指示位置の検出出力には、前記第１のセンサのそれぞれの識別情報が付加される
ことを特徴とする請求項３に記載の入力装置。
【請求項１０】
前記第１のセンサは、前記表示素子の表面側に配置される
ことを特徴とする請求項１に記載の入力装置。
【請求項１１】
前記第１のセンサは、透明または半透明である
ことを特徴とする請求項１０に記載の入力装置。
【請求項１２】
前記第１のセンサは、前記指示体の指示位置の検出出力を無線送信する手段を備える
ことを特徴とする請求項１１に記載の入力装置。
【請求項１３】
前記第１のセンサは、複数個であって、前記無線送信する前記指示体の指示位置の検出出力には、前記第１のセンサのそれぞれの識別情報が付加される
ことを特徴とする請求項１２に記載の入力装置。
【請求項１４】
前記第１のセンサは、前記指示体の位置を電磁誘導により検出するものである
ことを特徴とする請求項１３に記載の入力装置。
【請求項１５】
前記第１のセンサは、前記指示体の位置を静電結合により検出するものである
ことを特徴とする請求項１３に記載の入力装置。
【手続補正２】
【補正対象書類名】明細書
【補正対象項目名】００２６
【補正方法】変更
【補正の内容】
【００２６】
そして、液晶ディスプレイ素子２３が上側金属フレーム２１側に、また、バックライト２４が下側金属フレーム２２側に、それぞれ位置するような状態で重ねられる。そして、この液晶ディスプレイ素子２３とバックライト２４とを重ねたものを、上側金属フレーム２１と下側金属フレーム２２との間に形成される前記空間に収納する状態で、上側金属フレーム２１と下側金属フレーム２２とを嵌合する。図２に示すように、上側金属フレーム２１には、嵌合用の開口２１ａが穿かれており、一方、この開口２１ａに対応する下側金属フレーム２２の位置には、当該開口２１ａに嵌合する突部２２ａが設けられている。
【手続補正３】
【補正対象書類名】明細書
【補正対象項目名】００３６
【補正方法】変更
【補正の内容】
【００３６】
以上のように、この実施形態では、表示画面の大きさに比べて小型の電磁誘導式の部分画面センサを、金属部品の影響を受けない範囲で任意に配置するようにした。これにより、この実施形態によれば、表示素子ユニット２０は改造することなく、部分画面センサ３０を、表示素子ユニット２０に対して取り付けて利用することができる。表示素子ユニット２０を改造する必要がないので、当該ユニット２２を改造するコストを排除できると共に、入力装置の品質の安定性および量産性が向上する。
【手続補正４】
【補正対象書類名】明細書
【補正対象項目名】００３８
【補正方法】変更
【補正の内容】
【００３８】
図２では図示を省略したが、部分画面センサ３０に対しては、位置検出用の信号処理部１００が設けられる。図４に、部分画面センサ３０の構成例およびこの信号処理部の構成例を示す。
【手続補正５】
【補正対象書類名】明細書
【補正対象項目名】００７１
【補正方法】変更
【補正の内容】
【００７１】
パソコン４は、入力装置１０からの指示入力検出情報を受信すると、受信した位置指示器２の指示入力検出情報に基づく表示情報を生成し、その表示情報を、文書などの入力装置１０に送る表示情報に合成する。例えば、位置指示器２で入力されたのが文字であれば、入力された文字を入力装置１０に送信する表示情報に合成する。したがって、入力装置１０の液晶ディスプレイ素子２３の表示画面５には、位置指示器２の指示入力検出情報に応じた文字などが表示される。
【手続補正６】
【補正対象書類名】明細書
【補正対象項目名】００７３
【補正方法】変更
【補正の内容】
【００７３】
全体制御部１２は、指示入力検出情報を監視して、位置指示器２が部分画面センサ３０の有効読取り高さ内に入ったことを検知したとき、その検出領域枠制御部１４を起動し、部分画面センサ３０の検出領域を示す枠情報を、入出力インターフェース１１からの表示情報に重畳するようにする。検出領域枠制御部１４は、部分画面センサ３０の検出領域を示す枠情報を予め生成して記憶部に所持しており、起動されると、表示画面５の対応する表示領域においてその枠情報を出力して、入出力インターフェース１１からの表示情報に重畳するようにする。なお、検出領域枠制御部１４の機能は、全体制御部１２のソフトウエア処理機能により構成することができる。
【手続補正７】
【補正対象書類名】明細書
【補正対象項目名】００８２
【補正方法】変更
【補正の内容】
【００８２】
以下に説明する例は、図７に示したように、契約書などの文書にユーザが署名入力をする場合である。パソコン４は、ユーザによる署名入力を受け付けて、それを契約書などの文書中に貼り付け、そして、当該署名が貼り付けられた文書を保存する機能を備えるアプリケーションを有している。
【手続補正８】
【補正対象書類名】明細書
【補正対象項目名】０１０６
【補正方法】変更
【補正の内容】
【０１０６】
そして、この不導体シート５１の上に、つまり、表示素子ユニット２０の表示画面５側とは反対側（裏面側）に、部分画面センサユニット５０が被着されて設けられる。この部分画面センサユニット５０は、構成的には、前述の第１の実施形態で用いた部分画面センサ３０とシールド板３１が組み合わされると共に、信号処理部１００が接続されて構成されたものである。
【手続補正９】
【補正対象書類名】明細書
【補正対象項目名】０１２３
【補正方法】変更
【補正の内容】
【０１２３】
図１４は、この第３の実施形態の入力装置６０の内部構成例のブロック図であり、第１の実施形態と同じ部分には、同一参照番号を付してある。この第３の実施形態の入力装置６０は、部分画面センサ３０と、信号処理部１００と、表示制御部１３と、液晶ディスプレイ素子２３とを備えると共に、全画面センサ６１と、その信号処理部６２と、全体制御部６３と、メモリ部６４と、無線通信インターフェース６５とを備える。
【手続補正１０】
【補正対象書類名】明細書
【補正対象項目名】０１５３
【補正方法】変更
【補正の内容】
【０１５３】
なお、以上の第１〜第３の実施形態では、表示素子ユニットの裏面側に、位置検出センサである部分画面センサ３０を１個だけ設けたが、電磁誘導方式の部分画面センサ３０は、表示素子ユニットの裏面側に、複数個設けることもできる。
【手続補正１１】
【補正対象書類名】明細書
【補正対象項目名】０１６３
【補正方法】変更
【補正の内容】
【０１６３】
この第４の実施形態の入力装置７０は、第３の実施形態と同様に、パソコンの機能を備える構成を備える。この第４の実施形態の入力装置７０は、筐体７０１内に、表示制御部１３と、液晶ディスプレイ素子２３とを備えると共に、全体制御部７１と、メモリ部７２と、無線通信インターフェース７３と、無線インターフェース７４と、電力送信部７５とを備える。また、この第４の実施形態の入力装置７０は、筐体７０１外に、部分画面センサユニット８０を備える。
【手続補正１２】
【補正対象書類名】明細書
【補正対象項目名】０１６７
【補正方法】変更
【補正の内容】
【０１６７】
さらに、全体制御部７１は、メモリ部７２から読み出した表示情報や、無線通信インターフェース７３を通じて受信した表示情報を、表示制御部１３を通じて液晶ディスプレイ素子２３に供給し、表示画面５に表示させるようにする。
【手続補正１３】
【補正対象書類名】明細書
【補正対象項目名】０１７１
【補正方法】変更
【補正の内容】
【０１７１】
この実施形態の部分画面センサユニット８０は、図２０に示すように、センサ部８１と、信号処理部８７とからなる。信号処理部８７は、送信信号供給回路８２と、受信信号処理回路８３と、制御処理回路８４と、無線送信回路８５と、電力受信部８６とからなる。
【手続補正１４】
【補正対象書類名】明細書
【補正対象項目名】０１７３
【補正方法】変更
【補正の内容】
【０１７３】
以上のような構成により、センサ部８１は、透明の構成を備える。なお、センサ部８１は、所定の色が付いた半透明の状態であっても良い。送信信号供給回路８２と、受信信号処理回路８３と、制御処理回路８４と、無線送信回路８５と、電力受信部８６の回路部とは、信号処理部８７内に設けられる。この信号処理部８７は、図１７に示すように、センサ部８１の外部に非透明部として接続されている。
【手続補正１５】
【補正対象書類名】図面
【補正対象項目名】図２
【補正方法】変更
【補正の内容】
【図２】
2012133704.tif 000001
【手続補正１６】
【補正対象書類名】図面
【補正対象項目名】図３
【補正方法】変更
【補正の内容】
【図３】
2012133704.tif 000002
【手続補正１７】
【補正対象書類名】図面
【補正対象項目名】図１４
【補正方法】変更
【補正の内容】
【図１４】
2012133704.tif 000003
【手続補正１８】
【補正対象書類名】図面
【補正対象項目名】図１８
【補正方法】変更
【補正の内容】
【図１８】
2012133704.tif 000004
【手続補正１９】
【補正対象書類名】図面
【補正対象項目名】図２０
【補正方法】変更
【補正の内容】
【図２０】
2012133704.tif 000005